(57)【要約】【課題】容易に所望のデジタル放送信号を測定する安価なＲＦ信号測定機を製造する。【解決手段】デジタル放送の受信状態を測定するＲＦ信号測定器１に、物理チャネルと放送局名、リモコン番号、論理チャネルの対応関係を記載した対応テーブルを保持させ、測定対象の物理チャネルを表示するのに加えて、その物理チャネルに対応する放送局名、リモコン番号、論理チャネルを表示する。これにより、容易に所望のデジタル放送信号を測定することができる。また、予め対応テーブルにデータを入力しておくことで、デジタル放送信号からリモコン番号、論理チャンネル番号を取得する必要がなくなるので、安価にＲＦ信号測定器を製造することができる。【選択図】図１
2013115712.tif 000002
【特許請求の範囲】
【請求項１】
デジタル放送の放送局名、リモコン番号、論理チャネルのうち少なくとも１つの情報と物理チャネルとの対応関係を記載した対応テーブルを格納した記憶手段と、
ＲＦ信号を入力してデジタル放送の受信状態を測定する測定手段と、
前記対応テーブルを参照して前記測定手段が測定するデジタル放送の物理チャネルの情報と当該物理チャネルに対応する放送局名、リモコン番号、論理チャネルのうち少なくとも１つの情報を表示する表示手段と、
を有することを特徴とするＲＦ信号測定装置。
【発明の詳細な説明】
【技術分野】
【０００１】
本発明は、ＲＦ信号を測定する技術に関する。
【背景技術】
【０００２】
近年、デジタル放送が開始され、ついにアナログ放送が停止された。デジタル放送の場合、受信状態が悪い場合はブロックノイズやブラックアウトが発生する。このような故障発生時には、ユーザ宅内の同軸ケーブル区間の様々な箇所で、デジタル放送の受信状態を示すレベル、ＢＥＲ（Ｂｉｔ  Ｅｒｒｏｒ  Ｒａｔｅ：ビット誤り率）、ＣＮＲ（Ｃａｒｒｉｅｒ  ｔｏ  Ｎｏｉｓｅ  Ｒａｔｉｏ：搬送波対雑音比）をＲＦ信号測定器で測定して故障箇所を特定する（非特許文献１参照）。
【先行技術文献】
【非特許文献】
【０００３】
【非特許文献１】「フレッツ・テレビ故障切分けツールの開発」、ＮＴＴ技術ジャーナル、日本電信電話株式会社、２０１１年、第２３巻、第１号、p.58-59
【発明の概要】
【発明が解決しようとする課題】
【０００４】
障害発生時にユーザ宅でデジタル放送信号の受信状態を測定するとき、基本的にＲＦ信号測定器に測定対象の物理チャネル情報を表示する。アナログ放送の場合は、例えばリモコンの１が物理チャネルのＶＨＦの１ｃｈで一致していたので、測定者が測定したいテレビ放送番組の信号にＲＦ信号測定器を合わせることが容易であった。しかしながら、デジタル放送では、リモコン１がＵＨＦ２７ｃｈ、リモコン２がＵＨＦ２６ｃｈなどと、リモコン番号と物理チャネル番号が一致していない。また、リモコン番号のほかに論理チャネル番号という概念もあり、物理チャネル番号とは一致していない（例えば、日本テレビならリモコン番号４、論理チャネル番号041ch）。さらに、衛星デジタル放送では、一つの物理チャネルに複数の論理チャネルが割り当てられている。このように、デジタル放送化によって、測定者が測定したいテレビ放送番組の信号にＲＦ信号測定器を合わせることが簡単ではなくなった。
【０００５】
通常、リモコン番号、論理チャネル情報は、デジタル放送信号をデコードしなければ得ることができない。デジタル放送信号のリモコン番号、論理チャンネル情報をデコードするにはＢ−ＣＡＳカードが必要であり、ＲＦ信号測定器を複雑、大型化し、高価なものにする傾向がある。
【０００６】
本発明は、上記に鑑みてなされたものであり、容易に所望のデジタル放送信号を測定することと安価にＲＦ信号測定器を製造することを目的とする。
【課題を解決するための手段】
【０００７】
本発明に係るＲＦ信号測定装置は、デジタル放送の放送局名、リモコン番号、論理チャネルのうち少なくとも１つの情報と物理チャネルとの対応関係を記載した対応テーブルを格納した記憶手段と、ＲＦ信号を入力してデジタル放送の受信状態を測定する測定手段と、前記対応テーブルを参照して前記測定手段が測定するデジタル放送の物理チャネルの情報と当該物理チャネルに対応する放送局名、リモコン番号、論理チャネルのうち少なくとも１つの情報を表示する表示手段と、を有することを特徴とする。
【発明の効果】
【０００８】
本発明によれば、容易に所望のデジタル放送信号を測定することと安価にＲＦ信号測定機を製造することができる。
【図面の簡単な説明】
【０００９】
【図１】本実施の形態におけるＲＦ信号測定器の構成を示す機能ブロック図である。
【図２】物理チャネルと論理チャネルの対応を記載した対応テーブルの例を示す図である。
【図３】ＲＦ信号の測定を行うユーザ宅を示す模式図である。
【発明を実施するための形態】
【００１０】
以下、本発明の実施の形態について図面を用いて説明する。
【００１１】
図１は、本実施の形態におけるＲＦ信号測定器の構成を示す機能ブロック図である。同図に示すＲＦ信号測定器１は、測定部１１、記憶部１２、および表示部１３を備える。
【００１２】
測定部１１は、地上デジタル放送信号、ＢＳデジタル放送信号、ＣＳデジタル放送信号などのＲＦ信号を入力してレベル、ＢＥＲ（ビットエラーレート）、ＣＮＲ（搬送波対雑音比）などの受信状態を測定する。
【００１３】
記憶部１２は、デジタル放送の放送局名、リモコン番号、論理チャネルと物理チャネルの対応関係を記載した対応テーブルを保持する。物理チャネルには、放送局名、リモコン番号、論理チャネルの情報のうち少なくとも１つ以上の情報を対応付ける。
【００１４】
表示部１３は、記憶部１２が保持する対応テーブルを参照して、測定対象の物理チャネルに対応する放送局名、リモコン番号、論理チャネルの情報を取得し、物理チャネルの情報と放送局名、リモコン番号、論理チャネルの情報を同時に表示する。また、測定部１１の測定結果であるデジタル放送の受信状態を表示する。
【００１５】
図２に、記憶部１２が保持する対応テーブルの例を示す。図２に示す対応テーブルの例は、関東広域圏における放送局名、リモコン番号、論理チャネルと物理チャネルの対応付けを示したものである。対応テーブルは、予めデータを入力し、本発明に関わるＲＦ信号測定装置には、デジタル放送信号からリモコン番号、論理チャンネル番号を取得する機構は備えない。
【００１６】
図２の一列目は、デジタル放送の放送局名、二列目は、視聴者が番組を選ぶ際に操作するリモコン番号、三列目は論理チャネルを示し、四列目は、デジタル放送で用いる周波数帯域に付けられた番号（物理チャネル）を示す。地上デジタル放送では、４７０〜７７０ＭＨｚのＵＨＦ帯を６ＭＨｚずつの区間にわけて、それぞれにＵＨＦ１３〜６２の物理チャネル番号を付与している。図２に示す例では、物理チャネルＵＨＦ２７に論理チャネル１が対応していることを示しており、視聴者がリモコン操作で１ｃｈを選局した場合には、物理チャネルＵＨＦ２７を利用するデジタル放送を視聴することができる。
【００１７】
なお、ＢＳデジタル放送は、ＢＳ−ＩＦ帯にＢＳ１，ＢＳ３，・・・，ＢＳ１５の物理チャネルが存在し、１つの物理チャネルに複数の放送局名、リモコン番号、論理チャネルが割り当てられている。ＣＳデジタル放送は、ＣＳ−ＩＦ帯にＮＤ２，ＮＤ４，・・・，ＮＤ２４の物理チャネルが存在し、１つの物理チャネルに複数の放送局名、リモコン番号、論理チャネルが割り当てられている。ＢＳデジタル放送、ＣＳデジタル放送の場合、放送局名、リモコン番号、論理チャネルと物理チャネルとは多対１の関係となる。ＢＳデジタル放送、ＣＳデジタル放送についても、放送局名、リモコン番号、論理チャネルと物理チャネルと対応関係を記した対応テーブルを記憶部１２に保持しておく。
【００１８】
次に、本実施の形態におけるＲＦ信号測定器１を用いたＲＦ信号の測定について説明する。
【００１９】
図３は、本実施の形態におけるＲＦ信号測定器１を用いてＲＦ信号の測定を行うユーザ宅を示す模式図である。
【００２０】
デジタル放送信号は、光ケーブルにより伝送されてユーザ宅内のＯＮＵ（Ｏｐｔｉｃａｌ  Ｎｅｔｗｏｒｋ  Ｕｎｉｔ）２でＲＦ信号に変換され、ユーザ宅内に配置された同軸ケーブル３、ブースター４、分配器５等を経由してテレビ６で受信される。
【００２１】
テレビ６でブロックノイズが発生するなどの障害が発生した場合、故障箇所を特定して保守する必要がある。ＯＮＵ２から出力されるＲＦ信号、テレビ６に入力されるＲＦ信号などをＲＦ信号測定器１で測定して故障箇所を切り分ける。ＯＮＵ２から出力されるＲＦ信号が所定の基準を満たさずにＮＧの場合はＯＮＵ２本体あるいは光ケーブル区間の故障と考えられる。また、テレビ６に入力されるＲＦ信号が所定の基準を満たしておりＯＫの場合はテレビ６の故障と考えられる。ユーザ宅内の同軸ケーブル区間での故障と考えられる場合は、ＲＦ信号測定器１により、各部屋の同軸端子、ブースター４の出力端子、分配器５の出力端子などでＲＦ信号を測定し、故障箇所の切り分けを行う。
【００２２】
本実施の形態におけるＲＦ信号測定器１は、測定対象の物理チャネルを表示するのに加えて、その物理チャネルに対応する論理チャネルを表示しているので測定者は測定したい放送局名、リモコン番号、論理チャネルを測定対象の物理チャネルとして容易に合わせることができる。
【００２３】
なお、物理チャネルと放送局名、リモコン番号、論理チャネルとの対応関係は地域によって異なるので、ＲＦ信号測定器１を使用する地域の対応テーブルを予め記憶部１２に格納しておく。日本全国各地の対応テーブルを記憶部１２に格納しておき、ＲＦ信号測定器１を使用する地域を指定して参照する対応テーブルを決めてもよい。
【００２４】
以上説明したように、本実施の形態によれば、デジタル放送の受信状態を測定するＲＦ信号測定器１に、物理チャネルと放送局名、リモコン番号、論理チャネルの対応関係を記載した対応テーブルを保持させ、測定対象の物理チャネルを表示するのに加えて、その物理チャネルに対応する放送局名、リモコン番号、論理チャネルを表示することにより、容易に所望のデジタル放送信号を測定することができる。また、予め対応テーブルにデータを入力しておくことで、デジタル放送信号からリモコン番号、論理チャンネル番号を取得する必要がなくなるので、安価にＲＦ信号測定器を製造することができる。
【符号の説明】
【００２５】
１…ＲＦ信号測定器
１１…測定部
１２…記憶部
１３…表示部
２…ＯＮＵ
３…同軸ケーブル
４…ブースター
５…分配器
６…テレビ
【図１】
2013115712.tif 000003
【図２】
2013115712.tif 000004
【図３】
2013115712.tif 000005